(57)【要約】【課題】扉３を任意の位置で効果的に制止させることができるドアストッパーを提供する。【解決手段】本発明は天板１と回転体２によって構成されることを特徴としている。天板１と床面４との間に回転体２を仲介させることにより、扉３が開こうとする水平方向の力が天板１によって受け止められ、天板１が回転体２に力を伝え、回転体２を回転させようとする。ところが、回転体２は床面４と天板１に挟まれているため、回転体２は回転しつつ天板１と床面４の間にくい込んでいき、扉３が開こうとする力は効率よく床面４を押す力に変換され、大きな摩擦力を得ることができる。これを利用することによって扉３を任意の位置で効果的に制止させることができる。また、天板の接地部分１３に差し込み部分１１を設けることにより扉３と床面４との間の距離が短い場合にも効果を損なうことがない。【選択図】図１
2004211486.tif 000002
【特許請求の範囲】
【請求項１】
天板と、この天板の下に備えられた回転体によって構成されるドアストッパー。
【請求項２】
天板と、この天板の下に備えられた回転体によって構成されるドアストッパーであって、この天板の接地部分の先端に差し込み部分を持たせたことを特徴とするドアストッパー。
【発明の詳細な説明】
【０００１】
【発明の属する技術分野】本発明は扉を任意の位置で制止させるためのドアストッパーに関するものである。
【０００２】
【従来の技術】扉を任意の位置で制止させるためのドアストッパーのうち、扉に固定し備え付けて使用するもの以外のものとして、床面と扉の間に介在させることによって、摩擦力を生じさせることによって扉を止めるものがあり、くさび形のものと球形のものがあった。
【０００３】これらのドアストッパーは、扉が開こうとする力を床面を押す力に変換することによって、ドアストッパーと床面との間に摩擦力を生じさせ扉を制止させる。
【０００４】
【発明が解決しようとする課題】従来の技術においては扉が開こうとする力を効果的に床面を押す力に変換できない。
【０００５】このためドアストッパーが効果的に扉を制止できないことがあった。
【０００６】また、扉を制止させるためにドアストッパーを扉と床面の間に強引にねじ込まなければならないことがあった。
【０００７】本発明はこのような不都合を改善し、ドアストッパーが効果的に扉を制止することができるようにしたものである。
【０００８】
【課題を解決するための手段】以下、図１を参照しつつ本発明における課題を解決するための手段を説明する。
【０００９】図１は本発明の基本概念を表す概略説明図である。
【００１０】本発明は課題を解決するために天板１と、その下に備えられた回転体２によって構成されることを特徴としている。
【００１１】扉３の下端と床面４の距離が近い場合には天板の接地部分１２に差し込み部分１１を設けることによってその効果を高めることができる。
【００１２】扉３が開こうとする力は天板１によって受け止められる。
【００１３】受け止めた力により天板１が回転体２を押す。
【００１４】このとき天板１が回転体２に与えた力は天板１に垂直な方向の回転体２を押す力と天板１に水平な方向の回転体２を回転させる力の合力であると表現できる。
【００１５】回転体２を回転させる力によって回転体２は回転しようとする。
【００１６】ところが、回転体２は床面４と天板１に挟まれているため、回転体２は回転しつつ天板１と床面４の間にくい込んでいく。
【００１７】すなわち、扉３が開こうとする力が、天板１と床面４の間に回転体２をくい込ませていく。
【００１８】回転体がくい込むことによって回転体が天板と床面を強く押すことになり、これにより回転体と天板との間および回転体と床面との間には抗力とこれによる摩擦力が発生することになる。
【００１９】回転体が天板を押す力は、天板の接地部分１２もしくは天板の接地部分１２に備えられた差し込み部分の先端１３が支点となり、扉３と天板１の接点が作用点となることにより扉３を押す力となる。
【００２０】同時に、天板の接地部分１２もしくは差し込み部分の先端１３にも強い垂直抗力が働くことになるため、同部分において強い摩擦力を得ることができる。
【００２１】このようにして本発明は扉３を任意の位置で効果的に制止させることができる。
【００２２】
【発明の実施の形態】以下、図１、図２、図３を参照しつつ本発明の実施の形態を説明する。
【００２３】図１が本発明の基本概念を表す概略説明図である。
【００２４】課題を解決するための手段に示したとおり、本発明の特徴は天板１と回転体２を同時に備えている点にある。
【００２５】（第１の実施の形態）以下、本発明の第１の実施の形態を図２を用いて説明する。
【００２６】第１の実施の形態において、本発明は天板１と略球形の回転体５を備えている。
【００２７】天板１は略球形の回転体５を支持するための支持部分６を有している。
【００２８】第１の実施の形態における回転体は略球形であり、これが支持部分６によって固着されることなく支持される。
【００２９】両支持部分６の間の距離は、略球形の回転体５の最短直径よりも短く、また、略球形の回転体の一部が両支持部分６の間からはみ出せる程度に長い。
【００３０】天板１は略球形の回転体５に支えられることによって、略球形の回転体５を挟み、床面４と鋭角のなす角を作るよう形成される。
【００３１】また、天板１は扉３の下辺と床面４との隙間へ侵入させるための差し込み部分１１を持つことができる。
【００３２】なお、天板１と略球形の回転体５の表面を粗にすることによって摩擦係数を上げたり、天板１の上面を階段状に形成することによって扉３が引っかかりやすくすることによってより確実に扉３を制止させることができる。
【００３３】（第２の実施の形態）以下、本発明の第２の実施の形態を図３を用いて説明する。
【００３４】第２の実施の形態において、本発明は天板１と略円柱形の回転体７を備えている。
【００３５】天板１は略円柱形の回転体７を支持するための支持部分８を有している。
【００３６】第２の実施の形態における回転体は略円柱形であり、両底面の中心に突出部分９を有している。
【００３７】両支持部分８は略円柱形の回転体７が両底面に持っている突出部分９を支える孔１０を持っている。
【００３８】略円柱形の回転体７は、両底面の突出部分９を介して支持部分８に設けられた孔１０よって固着されることなく支持される。
【００３９】この孔１０の形状は、略円柱形の回転体７が天板１に接しながら回転、移動することができる形状であるとともに、突出部分９が支持部分８にあたらないような状態で、天板と床面との間に略円柱形の回転体７が挟まれることが可能であるような形状である。
【００４０】天板１は略円柱形の回転体７に支えられることによって、略円柱形の回転体７を挟み、床面４と鋭角のなす角を作るよう形成される。
【００４１】また、天板１は扉３の下辺と床面４との隙間へ侵入させるための差し込み部分１１を持つことができる。
【００４２】なお、天板１と略円柱形の回転体７の表面を粗にすることによって摩擦係数を上げたり、天板１の上面を階段状に形成することによって扉３が引っかかりやすくすることによってより確実に扉３を制止させることができる。
【００４３】
【発明の効果】以上に述べたように、本発明はドアが開く力を効率的に床面と本発明品との間の抗力および摩擦力に変換することにより、効果的に扉を制止できる。
【図面の簡単な説明】
【図１】本発明の基本概念を表す概略説明図である。
【図２】本発明の第１の実施の形態を示す概略説明図である。
【図３】本発明の第２の実施の形態を示す概略説明図である。
【符号の説明】
１天板
２回転体
３扉
４床面
５略球形の回転体
６支持部分
７略円柱形の回転体
８支持部分
９突出部分
１０孔
１１差し込み部分
１２天板の接地部分
１３差し込み部分の先端
【図１】
2004211486.tif 000003
【図２】
2004211486.tif 000004
【図３】
2004211486.tif 000005